(57)【要約】  【課題】  簡易な構成によって、空気と吸湿性液体との接触による水分授受の効率を高め、除湿または加湿の効率を向上した調湿装置を提供する。  【解決手段】  調湿装置１は、空気と吸湿性液体Ｌとの気液接触により調湿空間の湿度を調整する処理機１０と、処理機１０にて用いられて希釈または濃縮された吸湿性液体Ｌを再生する再生機４０とを備える調湿装置１であって、処理機１０は、吸湿性液体Ｌの温度を制御する第１の熱交換器３１と、空気と吸湿性液体Ｌとを接触させる充填材１４を収容した筐体１１と、筐体１１に形成された空気の取込口１２を通じて筐体１１内に空気を取り込むためのファン１７と、筐体１１に形成された空気の排出口１３の開度を変えるダンパー１８とを備える。【選択図】  図１
2010194483.tif 000002
【特許請求の範囲】
【請求項１】
空気と吸湿性液体との気液接触により調湿空間の湿度を調整する処理機と、前記処理機にて用いられて希釈または濃縮された吸湿性液体を再生する再生機とを備える調湿装置であって、
前記処理機は、
吸湿性液体の温度を制御する温度制御部と、
空気と前記吸湿性液体とを接触させる気液接触部を収容した筐体と、
前記筐体に形成された空気の取込口を通じて前記筐体内に空気を取り込むためのファンと、
前記筐体に形成された空気の排出口の流路抵抗を調整するための流路抵抗調整部と、
を備える調湿装置。
【請求項２】
空気と吸湿性液体との気液接触により調湿空間の湿度を調整する処理機と、前記処理機にて用いられて希釈または濃縮された吸湿性液体を再生する再生機とを備える調湿装置であって、
前記再生機は、
吸湿性液体の温度を制御する温度制御部と、
空気と前記吸湿性液体とを接触させる気液接触部を収容した筐体と、
前記筐体に形成された空気の取込口を通じて前記筐体内に空気を取り込むためのファンと、
前記筐体に形成された空気の排出口の流路抵抗を調整するための流路抵抗調整部と、
を備える調湿装置。
【請求項３】
前記流路抵抗調整部は、前記気液接触部にて空気中の水分を除去する処理を行うときには前記排出口の流路抵抗を大きくし、前記気液接触部にて空気中に水分を放出する処理を行うときには前記排出口の流路抵抗を小さくする請求項１または２に記載の調湿装置。
【請求項４】
前記流路抵抗調整部は、前記排出口の開度を調整するダンパーである請求項１〜３のいずれかに記載の調湿装置。
【請求項５】
前記流路抵抗調整部は、前記排出口に設けられた第２のファンである請求項１〜３のいずれかに記載の調湿装置。
【請求項６】
空気と吸湿性液体との気液接触により調湿空間の湿度を調整する処理機と、前記処理機にて用いられて希釈または濃縮された吸湿性液体を再生する再生機とを備える調湿装置であって、
前記処理機は、
吸湿性液体の温度を制御する温度制御部と、
空気と前記吸湿性液体とを接触させる気液接触部を収容した筐体と、
前記筐体に形成された空気の取込口の流路抵抗を調整するための流路抵抗調整部と、
前記筐体に形成された空気の排出口を通じて、前記筐体内から調湿空間に空気を排出するためのファンと、
を備える調湿装置。
【請求項７】
空気と吸湿性液体との気液接触により調湿空間の湿度を調整する処理機と、前記処理機にて用いられて希釈または濃縮された吸湿性液体を再生する再生機とを備える調湿装置であって、
前記再生機は、
吸湿性液体の温度を制御する温度制御部と、
空気と前記吸湿性液体とを接触させる気液接触部を収容した筐体と、
前記筐体に形成された空気の取込口の流路抵抗を調整するための流路抵抗調整部と、
前記筐体に形成された空気の排出口を通じて、前記筐体内から調湿空間の外部に空気を排出するためのファンと、
を備える調湿装置。
【請求項８】
前記流路抵抗調整部は、前記気液接触部にて空気中の水分を除去する処理を行うときには前記取込口の流路抵抗を小さくし、前記気液接触部にて空気中に水分を放出する処理を行うときには前記取込口の流路抵抗を大きくする請求項６または７に記載の調湿装置。
【請求項９】
前記流路抵抗調整部は、前記取込口の開度を調整するダンパーである請求項６〜８のいずれかに記載の調湿装置。
【請求項１０】
前記流路抵抗調整部は、前記取込口に設けられた第２のファンである請求項６〜８のいずれかに記載の調湿装置。
【請求項１１】
空気と吸湿性液体との気液接触により調湿空間の湿度を調整する処理機と、前記処理機にて用いられて希釈または濃縮された吸湿性液体を再生する再生機とを備える調湿装置であって、
前記処理機は、
吸湿性液体の温度を制御する温度制御部と、
空気と前記吸湿性液体とを接触させる気液接触部を収容した筐体と、
前記筐体に形成された空気の取込口に設けられた第１のファンと、
前記筐体に形成された空気の排出口に設けられた第２のファンと、
を備え、
前記気液接触部にて空気中の水分を除去する処理を行うときには、前記第１のファンの空気を取り込む方向への回転量を前記第２のファンの回転量より大きくし、前記気液接触部にて空気中に水分を放出する処理を行うときには前記第２のファンの空気を排出する方向への回転量を前記第１のファンの回転量より大きくする調湿装置。
【請求項１２】
空気と吸湿性液体との気液接触により調湿空間の湿度を調整する処理機と、前記処理機にて用いられて希釈または濃縮された吸湿性液体を再生する再生機とを備える調湿装置であって、
前記再生機は、
吸湿性液体の温度を制御する温度制御部と、
空気と前記吸湿性液体とを接触させる気液接触部を収容した筐体と、
前記筐体に形成された空気の取込口に設けられた第１のファンと、
前記筐体に形成された空気の排出口に設けられた第２のファンと、
を備え、
前記気液接触部にて空気中の水分を除去する処理を行うときには、前記第１のファンの空気を取り込む方向への回転量を前記第２のファンの回転量より大きくし、前記気液接触部にて空気中に水分を放出する処理を行うときには前記第２のファンの空気を排出する方向への回転量を前記第１のファンの回転量より大きくする調湿装置。
【請求項１３】
空気と吸湿性液体との気液接触により調湿空間の湿度を調整する処理機と、前記処理機にて用いられて希釈または濃縮された吸湿性液体を再生する再生機とを備える調湿装置であって、
前記処理機は、
吸湿性液体の温度を制御する温度制御部と、
第１の空気口と前記第１の空気口より小さい第２の空気口とが形成された筐体と、
前記筐体内に収容された、空気と前記吸湿性液体とを接触させる気液接触部と、
前記第１の空気口を通じた前記筐体内への空気の取込みと前記筐体内からの空気の排出とを切り替えて行うことができるファンと、
を備え、
前記気液接触部にて空気中の水分を除去する処理を行うときには前記ファンにより前記第１の空気口から空気を取り込んで前記第２の空気口から空気を排出し、前記気液接触部にて空気中に水分を放出する処理を行うときには前記ファンにより前記第１の空気口から空気を排出し、前記第２の空気口から空気を取り込む調湿装置。
【請求項１４】
空気と吸湿性液体との気液接触により調湿空間の湿度を調整する処理機と、前記処理機にて用いられて希釈または濃縮された吸湿性液体を再生する再生機とを備える調湿装置であって、
前記再生機は、
吸湿性液体の温度を制御する温度制御部と、
第１の空気口と前記第１の空気口より小さい第２の空気口とが形成された筐体と、
前記筐体内に収容された、空気と前記吸湿性液体とを接触させる気液接触部と、
前記第１の空気口を通じた前記筐体内への空気の取込みと前記筐体内からの空気の排出とを切り替えて行うことができるファンと、
を備え、
前記気液接触部にて空気中の水分を除去する処理を行うときには前記ファンにより前記第１の空気口から空気を取り込んで前記第２の空気口から空気を排出し、前記気液接触部にて空気中に水分を放出する処理を行うときには前記ファンにより前記第１の空気口から空気を排出し、前記第２の空気口から空気を取り込む調湿装置。
【請求項１５】
前記第１の空気口と前記第２の空気口は、前記気液接触部における前記吸湿性液体の流れと交差する方向に空気が流れる位置に形成されている請求項１３または１４に記載の調湿装置。
【発明の詳細な説明】
【技術分野】
【０００１】
本発明は、吸湿性液体を用いて調湿を行う調湿装置に関する。
【背景技術】
【０００２】
従来から、特許文献１、特許文献２等に記載されているように、例えば、塩化リチウム等の吸湿性液体を用いて調湿を行う調湿装置が知られていた。吸湿性液体を用いた調湿装置は、処理機と、再生機とを有する。処理機は、空気を取り込み、取り込んだ空気と吸湿性液体との気液接触によって除湿または加湿を行って、処理後の空気を調湿空間に排出する。再生機は、処理機にて用いて濃度の変化した吸湿性液体を再生する。
【０００３】
ここで、吸湿性液体の再生とは、調湿を行うことによって濃度の変化した吸湿性液体を、調湿に用いる前の状態に戻すことをいう。例えば、除湿の場合には、吸湿性液体によって空気中の水分を吸収するので、吸湿性液体の溶液濃度は低くなる。溶液濃度が低い吸湿性液体では十分な除湿を行えないので、吸湿性液体から水分を放出することによって、溶液濃度の高い吸湿性液体に戻す。逆に、加湿の場合は、吸湿性液体の溶液濃度が高くなるので、吸湿性液体に水分を吸収させることによって溶液濃度の低い吸湿性液体に戻す。
【０００４】
溶液濃度の高い吸湿性液体は温度が下がると水分を吸収し、溶液濃度の低い吸湿性液体は温度が上がると水分を放出する。従来の調湿装置はこの性質を利用して、処理機および再生機に供給する吸湿性液体の温度を調節することにより、調湿および吸湿性液体の再生を行う。例えば、除湿の場合には、溶液濃度の高い吸湿性液体を冷却し、冷却した吸湿性液体に空気を通すことにより、吸湿性液体によって空気中の水分を吸収する。
【特許文献１】特開平１１−３７５１４号公報
【特許文献２】特開２００８−４５８０３号公報
【発明の開示】
【発明が解決しようとする課題】
【０００５】
本発明は、簡易な構成によって、空気と吸湿性液体との気液接触による水分授受の効率を高め、除湿または加湿の効率を向上した調湿装置を提供する。
【課題を解決するための手段】
【０００６】
本発明の調湿装置は、空気と吸湿性液体との気液接触により調湿空間の湿度を調整する処理機と、前記処理機にて用いられて希釈または濃縮された吸湿性液体を再生する再生機とを備える調湿装置であって、前記処理機は、吸湿性液体の温度を制御する温度制御部と、空気と前記吸湿性液体とを接触させる気液接触部を収容した筐体と、前記筐体に形成された空気の取込口を通じて前記筐体内に空気を取り込むためのファンと、前記筐体に形成された空気の排出口の流路抵抗を調整するための流路抵抗調整部とを備える。
【０００７】
本発明の調湿装置は、空気と吸湿性液体との気液接触により調湿空間の湿度を調整する処理機と、前記処理機にて用いられて希釈または濃縮された吸湿性液体を再生する再生機とを備える調湿装置であって、前記再生機は、吸湿性液体の温度を制御する温度制御部と、空気と前記吸湿性液体とを接触させる気液接触部を収容した筐体と、前記筐体に形成された空気の取込口を通じて前記筐体内に空気を取り込むためのファンと、前記筐体に形成された空気の排出口の流路抵抗を調整するための流路抵抗調整部とを備える。
【０００８】
このように流路抵抗調整部によって排出口の流路抵抗を調整することにより、簡易な構成で処理機または再生機の筐体内の気圧を変えることが可能となる。すなわち、排出口の流路抵抗を大きくすると、筐体から空気が排出されにくくなる一方で、ファンにより空気が押し込まれるので、筐体内の気圧が高くなる。気圧が高くなると空気中に含まれる水蒸気が液化しやすい状態となるため、吸湿性液体は空気中の水分を効率良く吸収する。この構成を処理機に用いた場合には、除湿処理を効率的に行うことができ、再生機に用いた場合には、吸湿性液体を希釈する再生処理を効率的に行うことができる。
【０００９】
上記調湿装置において、前記流路抵抗調整部は、前記気液接触部にて空気中の水分を除去する処理を行うときには前記排出口の流路抵抗を大きくし、前記気液接触部にて空気中に水分を放出する処理を行うときには前記排出口の流路抵抗を小さくしてもよい。
【００１０】
このように水分を放出する処理を行うときに排出口の流路抵抗を小さくすることにより、筐体内の気圧を筐体外部の気圧と同程度にする。これにより、吸湿性液体から空気中へ水分を放出する処理の妨げにならないようにでき、流路抵抗調整部の構成を除湿と加湿と両方を行える調湿機に適用できる。なお、流路抵抗の大きい状態とは、筐体の内部と外部との間で、気圧に差が生じる程度の抵抗である。
【００１１】
上記調湿装置は、前記流路抵抗調整部として、前記排出口の開度を調整するダンパーを用いてもよい。
【００１２】
ダンパーによって排出口の開度を小さくして、排出口の流路抵抗を大きくすることができる。
【００１３】
上記調湿装置は、前記流路抵抗調整部として、前記排出口に第２のファンを設けてもよい。
【００１４】
排出口に設けられた第２のファンを、空気取込用のファンと異なる速度で回転することにより、排出口の流路抵抗を変えることができる。具体的には、第２のファンを空気の取込量より少ない量の空気を排出する速度で回転することにより、空気取込量と空気排出量との差により筐体内の気圧が高くなる。また、第２のファンは、空気を取り込む方向に回転してもよい。この場合、第２のファンの回転量は、取込口のファンによる空気の取込量より少ない量の空気を取り込む速度とする。これにより、取込口から取り込まれた空気が筐体の外部に出るために、筐体内の気圧が第２のファンによる空気の取込力に打ち勝つ程度にまで高くなる。従って、筐体内の気圧をいっそう高くできる。
【００１５】
本発明の調湿装置は、空気と吸湿性液体との気液接触により調湿空間の湿度を調整する処理機と、前記処理機にて用いられて希釈または濃縮された吸湿性液体を再生する再生機とを備える調湿装置であって、前記処理機は、吸湿性液体の温度を制御する温度制御部と、空気と前記吸湿性液体とを接触させる気液接触部を収容した筐体と、前記筐体に形成された空気の取込口の流路抵抗を調整するための流路抵抗調整部と、前記筐体に形成された空気の排出口を通じて、前記筐体内から調湿空間に空気を排出するためのファンとを備える。
【００１６】
本発明の調湿装置は、空気と吸湿性液体との気液接触により調湿空間の湿度を調整する処理機と、前記処理機にて用いられて希釈または濃縮された吸湿性液体を再生する再生機とを備える調湿装置であって、前記再生機は、吸湿性液体の温度を制御する温度制御部と、空気と前記吸湿性液体とを接触させる気液接触部を収容した筐体と、前記筐体に形成された空気の取込口の流路抵抗を調整するための流路抵抗調整部と、前記筐体に形成された空気の排出口を通じて、前記筐体内から調湿空間の外部に空気を排出するためのファンとを備える。
【００１７】
このように流路抵抗調整部によって取込口の流路抵抗を調整することにより、簡易な構成で処理機または再生機の筐体内の気圧を変えることが可能となる。すなわち、取込口の流路抵抗を大きくすると、取込口から空気が取り込まれにくくなる一方で、ファンの作用により筐体内から強制的に空気が排出されるので、筐体内の気圧が低くなる。気圧が低くなると吸湿性液体中の水分が空気中に放出されやすい状態となる。この構成を処理機に用いた場合には、加湿処理を効率的に行うことができ、再生機に用いた場合には、吸湿性液体を濃縮する再生処理を効率的に行うことができる。
【００１８】
上記調湿装置において、前記流路抵抗調整部は、前記気液接触部にて空気中の水分を除去する処理を行うときには前記取込口の流路抵抗を小さくし、前記気液接触部にて空気中に水分を放出する処理を行うときには前記取込口の流路抵抗を大きくしてもよい。
【００１９】
このように水分を除去する処理を行うときに排出口の流路抵抗を小さくすることにより、筐体内の気圧を筐体外部の気圧と同程度にする。これにより、空気中の水分を除去する処理の妨げにならないようにでき、流路抵抗調整部の構成を除湿と加湿と両方を行える調湿機に適用できる。なお、流路抵抗の大きい状態とは、筐体の内部と外部との間で、気圧に差が生じる程度の抵抗である。
【００２０】
上記調湿装置は、前記流路抵抗調整部として、前記取込口の開度を調整するダンパーを用いてもよい。
【００２１】
ダンパーによって排出口の開度を小さくして、排出口の流路抵抗を大きくすることができる。
【００２２】
上記調湿装置は、前記流路抵抗調整部として、前記取込口に第２のファンを設けてもよい。
【００２３】
取込口に設けられた第２のファンを、空気排出用のファンと異なる速度で回転することにより、取込口の流路抵抗を変えることができる。具体的には、第２のファンを空気の排出量より少ない量の空気を取り込む速度で回転することにより、空気取込量と空気排出量との差により筐体内の気圧が低くなる。また、第２のファンは、空気を排出する方向に回転してもよい。この場合、第２のファンの回転量は、排出口からの空気の排出量より少ない量の空気を排出する速度とする。これにより、取込口から筐体内に空気が取り込まれるために、筐体外部と筐体内部の気圧の差が第２のファンによる空気の排出力に打ち勝つ程度にまで大きくなる。従って、筐体内の気圧をいっそう低くできる。
【００２４】
本発明の調湿装置は、空気と吸湿性液体との気液接触により調湿空間の湿度を調整する処理機と、前記処理機にて用いられて希釈または濃縮された吸湿性液体を再生する再生機とを備える調湿装置であって、前記処理機は、吸湿性液体の温度を制御する温度制御部と、空気と前記吸湿性液体とを接触させる気液接触部を収容した筐体と、前記筐体に形成された空気の取込口に設けられた第１のファンと、前記筐体に形成された空気の排出口に設けられた第２のファンとを備え、前記気液接触部にて空気中の水分を除去する処理を行うときには、前記第１のファンの空気を取り込む方向への回転量を前記第２のファンの回転量より大きくし、前記気液接触部にて空気中に水分を放出する処理を行うときには前記第２のファンの空気を排出する方向への回転量を前記第１のファンの回転量より大きくする。
【００２５】
本発明の調湿装置は、空気と吸湿性液体との気液接触により調湿空間の湿度を調整する処理機と、前記処理機にて用いられて希釈または濃縮された吸湿性液体を再生する再生機とを備える調湿装置であって、前記再生機は、吸湿性液体の温度を制御する温度制御部と、空気と前記吸湿性液体とを接触させる気液接触部を収容した筐体と、前記筐体に形成された空気の取込口に設けられた第１のファンと、前記筐体に形成された空気の排出口に設けられた第２のファンとを備え、前記気液接触部にて空気中の水分を除去する処理を行うときには、前記第１のファンの空気を取り込む方向への回転量を前記第２のファンの回転量より大きくし、前記気液接触部にて空気中に水分を放出する処理を行うときには前記第２のファンの空気を排出する方向への回転量を前記第１のファンの回転量より大きくする。
【００２６】
この構成により、第１のファンと第２のファンとの回転量の相違により、筐体内の気圧を制御することができる。すなわち、第１のファンの空気を取り込む方向への回転量を第２のファンの回転量より大きくすることにより、筐体内に空気を取り込む力の方が筐体内から空気を排出する力より大きくなり、筐体内の気圧が高くなる。逆に、第２のファンの空気を排出する方向への回転量を第１のファンの回転量より大きくすることにより、筐体内から空気を排出する力の方が筐体内に空気を取り込む力より大きくなり、筐体内の気圧が低くなる。取込口から排出口への空気の流れを変えないで、筐体内の気圧を調湿空間より高くしたり低くしたりできる。このように筐体内の気圧を制御することにより、空気中の水分を除去する処理を行うときも、空気中に水分を放出する処理を行うときも効率良く水分の授受を行うことができる。
【００２７】
本発明の調湿装置は、空気と吸湿性液体との気液接触により調湿空間の湿度を調整する処理機と、前記処理機にて用いられて希釈または濃縮された吸湿性液体を再生する再生機とを備える調湿装置であって、前記処理機は、吸湿性液体の温度を制御する温度制御部と、第１の空気口と前記第１の空気口より小さい第２の空気口とが形成された筐体と、前記筐体内に収容された、空気と前記吸湿性液体とを接触させる気液接触部と、前記第１の空気口を通じて前記筐体内への空気の取込みと前記筐体内から調湿空間への空気の排出とを切り替えて行うことができるファンとを備え、前記気液接触部にて空気中の水分を除去する処理を行うときには前記ファンにより前記第１の空気口から空気を取り込んで前記第２の空気口から空気を排出し、前記気液接触部にて空気中に水分を放出する処理を行うときには前記ファンにより前記第１の空気口から空気を排出し、前記第２の空気口から空気を取り込む。
【００２８】
本発明の調湿装置は、空気と吸湿性液体との気液接触により調湿空間の湿度を調整する処理機と、前記処理機にて用いられて希釈または濃縮された吸湿性液体を再生する再生機とを備える調湿装置であって、前記処理機は、吸湿性液体の温度を制御する温度制御部と、第１の空気口と前記第１の空気口より小さい第２の空気口とが形成された筐体と、前記筐体内に収容された、空気と前記吸湿性液体とを接触させる気液接触部と、前記第１の空気口を通じて前記筐体内への空気の取込みと前記筐体内からの空気の排出とを切り替えて行うことができるファンとを備え、前記気液接触部にて空気中の水分を除去する処理を行うときには前記ファンにより前記第１の空気口から空気を取り込んで前記第２の空気口から空気を排出し、前記気液接触部にて空気中に水分を放出する処理を行うときには前記ファンにより前記第１の空気口から空気を排出し、前記第２の空気口から空気を取り込む。
【００２９】
このように第１の空気口より小さい第２の空気口を有する筐体において、ファンによって空気の流れる方向を切り替える構成を有することにより、筐体内の気圧を筐体外部の気圧より低い状態と高い状態との間で調整できる。すなわち、第１の空気口から空気を取り込むことにより筐体内の気圧を高くでき、第１の空気口から空気を排出することにより筐体内の気圧を低くできる。このように筐体内の気圧を制御することにより、空気中の水分を除去する処理を行うときも、空気中に水分を放出する処理を行うときも効率良く水分の授受を行うことができる。
【００３０】
上記調湿装置において、前記第１の空気口と前記第２の空気口は、前記気液接触部における前記吸湿性液体の流れと交差する方向に空気が流れる位置に形成されていてもよい。
【００３１】
この構成により、第１の空気口から空気が取り込まれる場合も排出される場合も、吸湿性液体と交差するように接触するので、空気中の水分を除去する処理を行う場合も、空気中に水分を放出する処理を行う場合も効率的な気液接触を実現できる。
【発明の効果】
【００３２】
本発明によれば、流路抵抗調整部によって排出口の流路抵抗を調整することにより、簡易な構成で筐体内の気圧を高くし、吸湿性液体が空気中の水分を効率良く吸収するようにできる。また、流路抵抗調整部によって取込口の流路抵抗を調整することにより、簡易な構成で筐体内の気圧を低くし、吸湿性液体中の水分を効率良く放出するようにできる。
【発明を実施するための最良の形態】
【００３３】
以下、本発明の実施の形態の調湿装置について図面を参照しながら説明する。
（第１の実施の形態）
図１は、第１の実施の形態の調湿装置１の構成を示す図である。調湿装置１は、調湿空間の外部または調湿空間から空気を取り込み、取り込んだ空気を吸湿性液体Ｌとの気液接触により調湿する処理機１０と、処理機１０での調湿処理に用いた吸湿性液体Ｌの再生を行う再生機４０とを有する。
【００３４】
ここで、吸湿性液体Ｌの再生とは、調湿を行うことによって濃度の変化した吸湿性液体Ｌを調湿処理に用いる前の状態に戻すことをいう。例えば、除湿処理の場合には、溶液濃度の高い吸湿性液体Ｌを冷却し、冷却した吸湿性液体Ｌに空気を通すことにより、吸湿性液体Ｌによって空気中の水分を吸収する。この処理によって吸湿性液体Ｌの溶液濃度は低くなるが、溶液濃度が低い吸湿性液体Ｌでは十分な除湿を行えない。溶液濃度の低くなった吸湿性液体Ｌから水分を脱離させる再生処理によって、溶液濃度の高い吸湿性液体Ｌに戻す。加湿処理の場合は、逆に、吸湿性液体Ｌの溶液濃度が高くなるので、吸湿性液体Ｌに水分を吸収させる再生処理によって溶液濃度の低い吸湿性液体Ｌに戻す。
【００３５】
本実施の形態では、吸湿性液体Ｌとして、塩化リチウム（ＬｉＣｌ）を用いる。なお、吸湿性液体Ｌとしては、塩化リチウムに限らず、食塩水などの潮解性を有する塩の溶液や、グリセリン、エチレングリコール、プロピレングリコールなどの吸湿性の高い多価アルコール、その他の吸湿性を有する安価な液体を用いてもよい。
【００３６】
処理機１０は、室内の空気の調湿を行う室内機であり、再生機４０は外気との間で水分の授受を行うことにより吸湿性液体Ｌを再生する室外機である。図１では、一の処理機１０に対して一の再生機４０が接続された例を示しているが、複数の処理機１０に対して一の再生機４０を接続する構成としてもよい。例えば、集合住宅や大型スーパー等に調湿装置１を設置する場合には、各部屋あるいは各フロアに処理機１０を設置し、各処理機１０と接続された一の再生機４０を外部に設置する態様とすることもできる。
【００３７】
処理機１０と再生機４０は、第１の吸湿液管路６１および第２の吸湿液管路６２によって接続されている。第１の吸湿液管路６１は、処理機１０から再生機４０へ吸湿性液体Ｌを送るための管路であり、第２の吸湿液管路６２は、再生機４０から処理機１０へ吸湿性液体Ｌを送るための管路である。第１の吸湿液管路６１、第２の吸湿液管路６２を用いて、処理機１０と再生機４０との間で吸湿性液体Ｌを循環させることにより、処理機１０にて用いた吸湿性液体Ｌを再生機４０にて再生し、処理機１０に戻す。
【００３８】
［処理機］
次に、処理機１０の構成について説明する。処理機１０は、空気と吸湿性液体Ｌとの気液接触を行うための充填材１４と、充填材１４に対して吸湿性液体Ｌを滴下する吸湿液供給部１５とを収容した筐体１１を備えている。充填材１４は、吸湿液供給部１５から滴下された吸湿性液体Ｌを一時的に滞留する役割を有する。また、筐体１１の下部には、充填材１４を通過した吸湿性液体Ｌを溜める液槽１６を有する。
【００３９】
筐体１１には、空気を取り込むための取込口１２と空気を排出するための排気口１３とが形成されている。取込口１２には、筐体１１内に空気を送り込むためのファン１７が設けられている。ファン１７によって空気を筐体１１内に送り込む。排出口１３にはファンはないが、取込口１２から空気が送り込まれることにより、空気は排出口１３から排出される。図１において、矢印は、空気の流れを示す。図１に示すように、取込口１２から取り込まれた空気は充填材１４を通過する。充填材１４には、吸湿性液体Ｌが滞留しているので、吸湿性液体Ｌと充填材１４を通過する空気との間で水分の授受が行われ、除湿または加湿が行われる。
【００４０】
排出口１３には、開口の大きさを調整するダンパー１８が設けられている。ダンパー１８の開度を大きくした場合には、筐体１１内の空気は排出口１３を通じてスムーズに調湿空間へと流れる。ダンパー１８の開度を小さくした場合には、排出口１３の流路抵抗が高くなる。この場合、ファン１７によって空気が筐体１１内に送り込まれる一方で、排出口１３から空気が出にくくなるので、筐体１１内の気圧が高くなる。
【００４１】
処理機１０は、液槽１６内の吸湿性液体Ｌを吸湿液供給部１５に供給するための管１９を有している。管１９にはポンプ２０が取り付けられており、液槽１６内の吸湿性液体Ｌを吸い上げる。
【００４２】
この管１９には、ヒートポンプ３０の第１の熱交換器３１が設けられており、第１の熱交換器３１によって吸湿性液体Ｌを加熱または冷却する。第１の熱交換器３１は、処理機１０の吸湿液供給部１５に供給される吸湿性液体Ｌの温度を制御する。吸湿性液体Ｌを加熱するか冷却するかは、処理機１０によって加湿するか除湿するかによる。すなわち、処理機１０が加湿処理を行う場合には、吸湿性液体Ｌに含まれた水分を空気中に放出させるために吸湿性液体Ｌを加熱する。逆に、処理機１０が除湿処理を行う場合には、空気中の水分を吸湿性液体Ｌに吸収させやすくするために吸湿性液体Ｌを冷却する。
【００４３】
液槽１６内の吸湿性液体Ｌを再生機４０に送るための第１の吸湿液管路６１は、液槽１６から吸湿性液体Ｌを吸い上げるための管１９に三方バルブ２１を介して接続されている。三方バルブ２１は、処理機１０の吸湿液供給部１５に送る吸湿性液体Ｌの量と第１の吸湿液管路６１を通じて再生機４０に送る吸湿性液体Ｌの量を制御する。本実施の形態では、三方バルブ２１は、（吸湿液供給部１５へ送る吸湿性液体Ｌの量）：（再生機４０に送る吸湿性液体Ｌの量）が、８：２から９：１の割合になるように制御する。
【００４４】
第１の吸湿液管路６１には、第２の熱交換器３２が設けられており、再生機４０に供給される吸湿性液体Ｌを冷却または加熱する。第２の熱交換器３２は、再生機４０に供給される吸湿性液体Ｌの温度を制御する。第１の熱交換器３１と第２の熱交換器３２とはヒートポンプ３０を構成しており、第１の熱交換器３１と第２の熱交換器３２との間で熱が移動する。
【００４５】
ここでヒートポンプ３０の構成について説明する。ヒートポンプ３０は、第１の熱交換器３１と、第２の熱交換器３２と、圧縮機３３と、膨張弁３４と、これらをつなぐ冷媒管３５とを備えている。ヒートポンプ３０は、冷媒の流れを逆転させることにより、第１の熱交換器３１を蒸発器、あるいは、凝縮器として機能させることができる。第２の熱交換器３２は、第１の熱交換器３１とは逆の処理を行う。
【００４６】
［再生機］
次に、再生機４０について説明する。再生機４０は、処理機１０から送られてきた吸湿性液体Ｌと空気とを気液接触させて、吸湿性液体Ｌを再生する。再生機４０は、空気と吸湿性液体Ｌとの気液接触を行うための充填材４４と、充填材４４に対して吸湿性液体Ｌを滴下する吸湿液供給部４５とを収容する筐体４１を有している。また、筐体４１の下部には、充填材４４を通過した吸湿性液体Ｌを溜める液槽４６を有する。
【００４７】
吸湿液供給部４５は、第１の吸湿液管路６１を通じて送られてくる吸湿性液体Ｌを充填材４４に供給する吸湿液供給部４５ａと、液槽４６から吸い上げた吸湿性液体Ｌを充填材４４に供給する吸湿液供給部４５ｂとを有する。第１の吸湿液管路６１に設けられたヒートポンプ３０の第２の熱交換器３２が吸湿性液体Ｌを加熱または冷却するかは、再生機４０によって吸湿性液体Ｌを濃縮するか希釈するかによる。すなわち、再生機４０が吸湿性液体Ｌの濃縮を行う場合には、吸湿性液体Ｌに含まれた水分を空気中に放出させるために吸湿性液体Ｌを加熱する。逆に、再生機４０が吸湿性液体Ｌを希釈する場合には、空気中の水分を吸湿性液体Ｌに吸収させやすくするために吸湿性液体Ｌを冷却する。
【００４８】
筐体４１には、空気を取り込むための取込口４２と空気を排出するための排気口４３とが形成されている。排出口４３には、筐体４１内から空気を排出するためのファン４７が設けられている。筐体４１内の空気をファン４７によって外部に排出することにより、筐体４１内が筐体４１の外部に対して負圧となるので、取込口４２を通じて空気が筐体４１内に流れ込む。
【００４９】
図１において、矢印は、空気の流れを示す。図１に示すように、取込口４２から取り込まれた空気は充填材４４を通過する。充填材４４には、吸湿性液体Ｌが滞留しているので、吸湿性液体Ｌと空気との間で水分の授受が行われる。これにより、吸湿性液体Ｌが再生される。
【００５０】
取込口４２には、開口の大きさを調整するダンパー４８が設けられている。ダンパー４８の開度を大きくした場合には、取込口４２を通じて空気はスムーズに筐体４１内へと流れ込む。ダンパー４８の開度を小さくした場合には、取込口４２の流路抵抗が高くなる。この場合、ファン４７によって筐体４１内から外部に空気が排出される一方で、取込口４２から空気が入りにくくなるので、筐体４１内の気圧が低くなる。
【００５１】
再生機４０は、液槽４６内の吸湿性液体Ｌを第１の吸湿液管路６１に供給する管４９を有している。液槽４６内の吸湿性液体Ｌは、ポンプ５０によって第１の吸湿液管路６１に吸い上げられる。吸湿性液体Ｌは、第２の熱交換器３２を通じて再生機４０に再び供給される。
【００５２】
再生機４０は、液槽４６の吸湿性液体Ｌを吸湿液供給部４５ｂに供給するための供給管５１を有している。供給管５１には、ポンプ５２が取り付けられており、液槽４６内の吸湿性液体Ｌを吸い上げる。また、この管５１には、加熱源５３が設けられている。加熱源５３は、第２の熱交換器３２による温度制御に加えて温度を上昇させたい場合には、液槽４６から吸い上げた吸湿性液体Ｌを加熱する。加熱された吸湿性液体Ｌは、吸湿液供給部４５ｂから充填材４４に滴下され、充填材４４において気液接触される。充填材４４を通過した吸湿性液体Ｌは、液槽４６に入る。このように吸湿性液体Ｌを循環させることにより、再生機４０は吸湿性液体Ｌの再生処理を行う。
【００５３】
再生機４０は、液槽４６に給水を行う給水管５４を有する。給水管５４上には、バルブ５５が設けられており、バルブ５５によって給水の制御を行う。
【００５４】
液槽４６の吸湿性液体Ｌは、第２の吸湿液管路６２を通じて処理機１０に戻る。再生機４０から処理機１０に戻る吸湿性液体Ｌの量は、バルブ６３によって調整される。本実施の形態では、バルブ６３は、液槽４６内の吸湿性液体Ｌの液面の高さが一定になるように、処理機１０へ戻す吸湿性液体Ｌの量を制御する。
【００５５】
調湿装置１は、第１の吸湿液管路６１と第２の吸湿液管路６２との間で熱交換を行う熱交換器６４を有している。この熱交換器６４は、第１の吸湿液管路６１を流れる吸湿性液体Ｌと第２の吸湿液管路６２を流れる吸湿性液体Ｌの温度差を低減し、ヒートポンプ３０の汲み上げ温度差の低減に寄与する。
【００５６】
［調湿装置の動作］
次に、本実施の形態の調湿装置１の動作について説明する。まず、調湿装置１によって除湿処理を行う場合の動作について説明する。この場合、ヒートポンプ３０は、第１の熱交換器３１を蒸発器、第２の熱交換器３２を凝縮器として機能させる。処理機１０の液槽１６には、溶液濃度の高い吸湿性液体Ｌを入れておく。
【００５７】
処理機１０は、液槽１６から溶液濃度の高い吸湿性液体Ｌを吸い上げ、蒸発器として機能する第１の熱交換器３１にて吸湿性液体Ｌを冷却した上で吸湿液供給部１５に供給する。空気処理部１１では、吸湿性液体Ｌを充填材１４に滴下する。滴下された吸湿性液体Ｌは、充填材１４をゆっくりと通過して液槽１６に戻る。
【００５８】
処理機１０は、上記の動作と同時に、取込口１２に設けられたファン１７により、筐体１１内に空気を取り込み、充填材１４の間を通した後に排出口１３を通じて調湿空間に排出する。充填材１４には溶液濃度が高くかつ低温の吸湿性液体Ｌが存在するので、空気中の水分が吸湿性液体Ｌによって吸収され、排出空気は除湿される。なお、吸湿性液体Ｌと空気との間で熱交換も同時に行われ、排出空気は冷却される。
【００５９】
処理機１０は、除湿処理を行う際には、排出口１３のダンパー１８の開度を小さくする。図２（ａ）は除湿処理時の筐体１１内の気圧を示す図である。図２（ａ）に示すように、ダンパー１８の開度を小さくすることにより、排出口１３が狭くなって流路抵抗が大きくなるため、筐体１１内の気圧は、筐体１１の外部より高くなる。このように筐体１１内の気圧が高くなることにより、空気中の水蒸気は液化しやすい状態となる。従って、筐体１１内の気圧が外部の気圧（以下、「自然圧」という）と同じ場合に比べて、吸湿性液体Ｌによる空気中の水分の吸収率が向上する。
【００６０】
処理機１０が除湿動作を継続して行うと、吸湿性液体Ｌは希釈されて、空気中の水分を吸収しにくくなるので、吸湿性液体Ｌを再生機４０によって再生する。調湿装置１は、処理機１０の液槽１６から吸い出した吸湿性液体Ｌのうちの一部を第１の吸湿液管路６１に供給し、再生機４０に送る。再生機４０に送る吸湿性液体Ｌの量は、三方バルブ２１によって調節する。
【００６１】
第１の吸湿液管路６１の途中には、凝縮器として機能する第２の熱交換器３２が配設されており、再生機４０に送られる吸湿性液体Ｌは第２の熱交換器３２によって加熱される。再生機４０は、第１の吸湿液管路６１から供給される溶液濃度の低くなった吸湿性液体Ｌの再生処理を行う。具体的には、吸湿液供給部４５ａは、第２の熱交換器３２によって加熱された吸湿性液体Ｌを充填材４４に滴下する。滴下された吸湿性液体Ｌは、充填材４４を通って液槽４６に入る。
【００６２】
再生機４０は、上記の動作と同時に、排出口４３に設けられたファン４７により、筐体４１内から空気を排出する。これにより、取込口４２を通じて筐体４１内に空気が流れ込む。流れ込んだ空気は、充填材４４の間を通って排出口４３から排出される。空気が吸湿性液体Ｌと接触することにより、高温の吸湿性液体Ｌから水分が脱離して空気中に逃げ、吸湿性液体Ｌの濃度が高くなる。充填材４４を通過した吸湿性液体Ｌは、液槽４６に入る。
【００６３】
再生機４０は、吸湿性液体Ｌを濃縮する再生を行う際には、取込口４２のダンパー４８の開度を小さくする。図２（ａ）に示すように、ダンパー４８の開度を小さくすることにより、取込口４２が狭くなって流路抵抗が大きくなるため、筐体４１内の気圧は筐体４１の外部より低くなる。このように筐体４１内の気圧が低くなることにより、吸湿性液体Ｌ中の水分が空気中に放出されやすい状態となる。従って、筐体１１内の気圧が自然圧の場合と比べて、吸湿性液体Ｌは濃縮されやすくなる。
【００６４】
液槽４６内の吸湿性液体Ｌの一部は、ポンプ５２によって吸い上げられ、供給管５１を通じて吸湿液供給部４５ｂに供給される。この際、吸湿性液体Ｌは、加熱源５３によって加熱される。従って、吸湿性液体Ｌの水分がいっそう放出されやすい状態となり、再生機４０は効率の良い濃縮処理を行える。
【００６５】
また、液槽４６内の吸湿性液体Ｌの一部は、第１の吸湿液管路６１に供給される。第１の吸湿液管路６１に供給された吸湿性液体Ｌは、第２の熱交換器３２によって加熱されて吸湿液供給部４５ａに再び供給される。このように充填材４４と液槽４６との間で吸湿性液体Ｌが循環することにより、徐々に吸湿性液体Ｌの濃度が高くなっていく。
【００６６】
再生処理が行われた液槽４６内の吸湿性液体Ｌは、第２の吸湿液管路６２を通って処理機１０に戻る。吸湿性液体Ｌは、処理機１０に戻る途中で、熱交換器６４によって、再生機４０に向かう吸湿性液体Ｌと熱交換が行われ、温度が低下する。以上、本実施の形態の調湿装置１の除湿の動作について説明した。
【００６７】
次に、調湿装置１によって加湿処理を行う場合の動作について説明する。調湿装置１にて加湿を行う場合には、ヒートポンプ３０は、第１の熱交換器３１を凝縮器、第２の熱交換器３２を蒸発器として機能させる。処理機１０の液槽１６には、溶液濃度の低い（水分を多く含んだ）吸湿性液体Ｌを入れておく。加湿処理の場合は、基本的には、調湿機１は除湿処理と反対の動作を行う。
【００６８】
処理機１０は、溶液濃度の低い吸湿性液体Ｌを加熱して充填材１４に滴下する一方で、取り込んだ空気を充填材１４に通すことにより、吸湿性液体Ｌから水分を放出させて空気を加湿する。なお、吸湿性液体Ｌと空気との間で熱交換も同時に行われ、排出空気は加熱される。
【００６９】
加湿処理を行う場合には、処理機１０のダンパー１８は開度を大きくしておく。図２（ｂ）は、加湿処理を行う場合の筐体１１内の気圧を示す図である。図２（ｂ）に示すように、ダンパー１８の開度を大きくしているため、処理機１０の筐体１１内の気圧は自然圧と同じになる。除湿処理時と同様に、筐体１１内の気圧を高くすると（図２（ａ）参照）、吸湿性液体Ｌから水分が放出されにくい状態となり、加湿処理の効率が低下してしまうが、加湿処理を行う際にはダンパーの開度を大きくすることにより、そのような不都合が起きない。
【００７０】
処理機１０が加湿動作を継続して行うと、吸湿性液体Ｌは濃縮されて、空気中に放出される水分が少なくなるので、吸湿性液体Ｌを再生機４０によって再生する。調湿装置１は、処理機１０の液槽１６から吸い出した吸湿性液体Ｌのうちの一部を第１の吸湿液管路６１に供給し、再生機４０に送る。
【００７１】
再生機４０に送られる吸湿性液体Ｌは、第１の吸湿液管路６１にある第２の熱交換器３２によって冷却される。冷却された吸湿性液体Ｌは、再生機４０の吸湿液供給部４５ａに供給される。吸湿液供給部４５ａが冷却された濃度の高い吸湿性液体Ｌを充填材４４に滴下する一方で、外部から取り込んだ空気を充填材４４に通すことにより、吸湿性液体Ｌに水分を吸収させる再生処理を行う。充填材４４を通過した吸湿性液体Ｌは液槽４６に入る。
【００７２】
液槽４６内の吸湿性液体Ｌの一部は、ポンプ５２によって吸い上げられ、供給管５１を通じて吸湿液供給部４５ｂに供給される。また、液槽４６内の吸湿性液体Ｌの一部は、第１の吸湿液管路６１に供給される。第１の吸湿液管路６１に供給された吸湿性液体Ｌは、第２の熱交換器３２によって冷却されて吸湿液供給部４５ａに再び供給される。このように、充填材４４と液槽４６との間で吸湿性液体Ｌが循環することにより、徐々に吸湿性液体Ｌの濃度が低くなっていく。
【００７３】
なお、吸湿性液体Ｌの希釈再生を行う際には、外気から吸湿性液体Ｌへ水分を取り込むことに加え、吸湿性液体Ｌに直接に給水することにより、吸湿性液体Ｌを希釈してもよい。再生機４０は、給水管５４のバルブ５５を開け、液槽４６に給水を行う。また、再生機４０は、給水によって吸湿性液体Ｌの温度が低下した場合には、加熱源５３によって吸湿性液体Ｌを加熱する。再生処理が行われた液槽４６内の吸湿性液体Ｌは、第２の吸湿液管路６２を通って処理機１０に戻る。以上、第１の実施の形態の構成および動作について説明した。
【００７４】
第１の実施の形態の調湿装置１は、除湿処理を行うときには、処理機１０の排出口１３のダンパー１８の開度を小さくする。これにより、筐体１１内の気圧を高め、除湿処理の効率を向上できる。
【００７５】
第１の実施の形態の調湿装置１は、除湿処理時の吸湿性液体Ｌの再生を行うときに、再生機４０の取込口４２のダンパー４８の開度を小さくする。これにより、筐体４１内の気圧を低くし、効率良く溶液濃度を高めることができる。
【００７６】
第１の実施の形態の調湿装置１は、処理機１０の排出口１３または再生機４０の取込口４２にダンパー１８，４８を設けるという簡易な構成により、筐体１１，４１内の気圧を変えることができる。
【００７７】
第１の実施の形態の調湿装置１は、加湿処理を行う際には、処理機１０および再生機４０のダンパー１８，４８の開度を大きくし、筐体１１，４１内の気圧を自然圧としているので、処理機１０による加湿処理および再生機４０による再生処理（希釈処理）の妨げにならないようにできる。
【００７８】
第１の実施の形態では、処理機１１、再生機４１ともに、筐体１１，４１の側面から取り込まれた空気が、充填材１４，４４を下方から上方に通過して、筐体１１，４１の上面から排出される。吸湿液供給部１５，４５から滴下された吸湿性液体Ｌを空気によって下から押し上げるので、吸湿性液体Ｌが充填材１４，４４を通過する時間を長くでき（吸湿性液体Ｌの滞留時間を長くでき）、効率の良い気液接触を行える。
【００７９】
なお、調湿装置１を除湿専用に用いる場合には、流路抵抗の大きい排出口（例えば、流路の狭い排出口）を形成し、ダンパーを用いない構成としてもよい。
【００８０】
（第２の実施の形態）
図３は、第２の実施の形態の調湿装置２の構成を示す図である。第２の実施の形態の調湿装置２の基本的な構成および動作は、第１の実施の形態の調湿装置１と同じである。第２の実施の形態の調湿装置２では、ファンおよびダンパーの位置が第１の実施の形態の調湿装置１とは異なる。すなわち、第２の実施の形態では、処理機１０は、取込口１２にダンパー１８を有し、排出口１３に空気を排出するためのファン１７を有している。再生機４０は、取込口４２に空気を取り込むためのファン４７を有し、排出口１３にダンパー４８を有している。
【００８１】
図４（ａ）および図４（ｂ）は、第２の実施の形態の調湿装置２の動作時における筐体１１，４１内の気圧について説明する図である。図４（ａ）は、加湿処理時を示す。図４（ａ）に示すように加湿処理時には、処理機１０はダンパー１８の開度を小さくし、処理機１０の筐体１１内の気圧を低くする。これにより、吸湿性液体Ｌの水分が空気中に放出されやすい状態となるので、加湿処理の効率を高めることができる。再生機４０もダンパー４８の開度を小さくし、再生機４０の筐体４１内の気圧を高くする。これにより、空気中の水蒸気は液化しやすい状態となるので、効率良く吸湿性液体Ｌを希釈することができる。
【００８２】
図４（ｂ）は、除湿処理時を示す。図４（ｂ）に示すように除湿処理時には、処理機１０はダンパー１８の開度を大きくし、筐体１１内を自然圧とする。加湿処理時と同様に、筐体１１内の気圧を低くすると（図４（ａ）参照）、吸湿性液体Ｌから水分が放出されやすい状態となり、除湿処理の効率が低下してしまうが、除湿処理を行う際にはダンパー１８の開度を大きくすることにより、そのような不都合が起きない。再生機４０も同様にダンパー４８の開度を大きくし、筐体４１内を自然圧とする。これにより、再生機４０による吸湿性液体Ｌの濃縮再生の効率が低下するという不都合が起きない。
【００８３】
（第３の実施の形態）
図５は、第３の実施の形態の調湿装置３の構成を示す図である。第３の実施の形態の調湿装置３の基本的な構成および動作は、第１の実施の形態の調湿装置１と同じである。第３の実施の形態の調湿装置３では、処理機１０の排出口１３のダンパー１８に代えて、ファン２２を有し、再生機４０の取込口４２のダンパー４８に代えて、ファン５６を有している。すなわち、第３の実施の形態では、処理機１０および再生機４０は、取込口１２，４２および排出口１３，４３の両方にファンを有している。これらのファン１７，２２，４７，５６は、その回転速度を変えることにより、空気を取り込んだり排出したりする力を調整することができる。なお、ファン１７，２２，４７，５６は、回転していないときに、空気が通過しにくい形状のブレードを有していてもよい。
【００８４】
図６（ａ）および図６（ｂ）は、第３の実施の形態の調湿装置３の動作時における筐体１１，４１内の気圧について説明する図である。図６（ａ）は、除湿処理時を示す。図６（ａ）に示すように、除湿処理時には、処理機１０は、取込口１２のファンの回転量を大きくし、排出口１３のファン２２の回転量を小さくする。これにより、空気を取り込む力の方が空気を排出する力より大きくなるので、処理機１０の筐体１１内の気圧が高くなる。このように筐体１１内の気圧が高くなると、空気中の水蒸気が液化しやすい状態となるので、水分が吸湿性液体Ｌに吸収されやすくなり、除湿処理の効率が向上する。なお、空気を取り込む力の方が大きいので、一時的には、空気の取込量の方が排出量より大きくなるが、筐体１１内部が一定の気圧になると空気の取込量と排出量が均衡する。
【００８５】
再生機４０は、排出口４３のファン４７の回転量を大きくし、取込口４２のファン５６の回転量を小さくする。これにより、空気を排出する力の方が空気を取り込む力より大きくなるので、再生機４０の筐体４１内の気圧が低くなる。このように筐体４１内の気圧が低くなると、空気中に水分が放出されやすい状態となり、吸湿性液体Ｌを濃縮する再生処理の効率を向上できる。なお、空気を排出する力の方が大きいので、一時的には、空気の排出量の方が取込量より大きくなるが、筐体４１内部が一定の気圧になると空気の取込量と排出量が均衡する。
【００８６】
図６（ｂ）は、加湿処理時を示す。図６（ｂ）に示すように、加湿処理時には、処理機１０は、排出口１３のファン２２の回転量を大きくし、取込口１２のファン１７の回転量を小さくする。これにより、空気を排出する力の方が空気を取り込む力より大きくなるので、処理機１０の筐体１１内の気圧が低くなる。これにより、空気中に水分が放出されやすい状態となり、加湿処理の効率が向上する。
【００８７】
再生機４０は、取込口４２のファン５６の回転量を大きくし、排出口４３のファン４７の回転量を小さくする。これにより、空気を取り込む力の方が空気を排出する力より大きくなるので、再生機４０の筐体４１内の気圧が高くなる。これにより、空気中の水蒸気が液化しやすい状態となり、吸湿性液体Ｌを希釈する再生処理の効率を向上できる。
【００８８】
以上に説明したように、第３の実施の形態の調湿装置３は、取込口１２，４２および排出口１３，４３に設けられたファン１７，２２，４７，５６の回転量を制御することにより、除湿処理時には、筐体１１，４１内の気圧を高くして除湿処理の効率を向上し、加湿処理時には、筐体１１，４１内の気圧を低くして加湿処理の効率を向上できる。
【００８９】
本実施の形態では、一方のファンの回転量を他方より小さくすることにより、筐体１１，４１内の気圧を制御する例について説明したが、一方のファンを逆回転することとしてもよい。例えば、図６（ａ）に示す例では、処理機１０は、排出口１３のファン２２の回転量を小さくしているが、排出口１３のファン２２を逆回転し、排出口１３から空気を取り込む（マイナスの空気を排出する）ようにしてもよい。この場合、空気の流れを一定方向に保つために、排出口１３のファン２２の回転量は、取込口１２のファン１７の回転量より小さくする。
【００９０】
このように排出口１３のファン２２を逆回転して空気を取り込むようにすることにより、排出口１３から空気が筐体１１の外部に出るために、筐体１１内の気圧が排出口１３のファン２２による空気の取込力に打ち勝つ程度にまで高くなる。従って、筐体１１内の気圧をいっそう高くできる。
【００９１】
（第４の実施の形態）
図７は、第４の実施の形態の実施の形態の調湿装置４の構成を示す図である。第４の実施の形態の調湿装置４の基本的な構成および動作は、第１の実施の形態の調湿装置１と同じである。第４の実施の形態の調湿装置４では、処理機１０の筐体１１には、充填材１４を挟む２つの側面に空気口１２，１３が形成されている。２つの空気口は大きさが異なっている。大きい方の空気口（以下、「第１の空気口」という）１２には、ファン１７が取り付けられている。ファン１７は、回転方向を変えることができ、筐体１１内への空気の取込みと筐体１１からの空気の排出を切り替えることができる。小さい方の空気口（以下、「第２の空気口」という）１３は、第１の空気口１２から取り込まれる、あるいは排出される空気量よりも少ない空気量を通過させる大きさを有している。すなわち、第２の空気口１３は、第１の空気口１２に比べて流路抵抗が大きい。
【００９２】
再生機４０は、処理機１０と同様に、筐体４１に大きさの異なる第１の空気口４２と第２の空気口４３が形成されており、第１の空気口４２にファン４７が設けられている。ファン４７は、回転方向を変えることができ、筐体４１内への空気の取込みと筐体４１からの空気の排出を切り替えることができる。
【００９３】
図８（ａ）および図８（ｂ）は、第４の実施の形態の調湿装置４の動作時における筐体１１，４１内の気圧について説明する図である。図８（ａ）は、除湿処理時を示す。図８（ａ）に示すように、除湿処理時には、処理機１０のファン１７を、筐体１１内に空気を取り込む方向に回転する。これにより、空気は、第１の空気口１２から第２の空気口１３に流れる。第２の空気口１３は、第１の空気口１２より流路抵抗が大きいので、筐体１１内の気圧は高くなる。空気中に含まれる水蒸気は液化しやすい状態となり、除湿処理の効率を向上できる。
【００９４】
一方、再生機４０のファン４７を、筐体４１内から空気を排出する方向に回転する。これにより、空気は、第２の空気口４３から第１の空気口４２に流れる。第２の空気口４３は、第１の空気口４２より流路抵抗が大きいので、筐体４１内の気圧は低くなる。吸湿性液体Ｌ中の水分が空気中に放出されやすい状態となり、吸湿性液体Ｌを濃縮する再生処理の効率を向上できる。
【００９５】
図８（ｂ）は、加湿処理時を示す。図８（ｂ）に示すように、加湿処理時には、処理機１０のファン１７を、筐体１１内から空気を排出する方向に回転する。これにより、空気は、第２の空気口１３から第１の空気口１２に流れる。第２の空気口１３は、第１の空気口１２より流路抵抗が大きいので、筐体１１内の気圧は低くなる。吸湿性液体Ｌ中の水分が空気中に放出されやすい状態となり、加湿処理の効率を向上できる。
【００９６】
一方、再生機４０のファン４７を、筐体４１内に空気を取り込む方向に回転する。これにより、空気は、第１の空気口４２から第２の空気口４３に流れる。第２の空気口４３は、第１の空気口４２より流路抵抗が大きいので、筐体４１内の気圧は高くなる。空気中の水蒸気が液化しやすい状態となり、吸湿性液体Ｌを希釈する再生処理の効率を向上できる。
【００９７】
以上に説明したように、第４の実施の形態の調湿装置４の処理機１０は、第１の空気口１２に設けられたファン１７の回転方向を制御することにより、除湿処理時には、筐体１１内の気圧を高くして除湿処理の効率を向上し、加湿処理時には、筐体１１内の気圧を低くして加湿処理の効率を向上できる。再生機４０も同様に、ファン４７の回転方向を制御することにより、吸湿性液体Ｌの効率の良い希釈再生または濃縮再生を行える。
【００９８】
また、第４の実施の形態の調湿装置４は、第１の空気口１２と第２の空気口１３とが、充填材１４を挟む２つの側面に形成されているので、加湿処理時も除湿処理時も水平方向に空気が流れる。一方、吸湿液供給部１５から滴下される吸湿性液体Ｌは下に落ちて行くので、充填材１４において空気と吸湿性液体Ｌとは交差する。これにより、効率の良い気液接触を実現できる。再生機４０も同様に、吸湿性液体Ｌの希釈再生、濃縮再生にかかわらず、効率の良い気液接触を実現できる。
【００９９】
以上、本発明の調湿装置について、実施の形態を挙げて詳細に説明したが、本発明の調湿装置は上記した実施の形態に限定されるものではない。本発明は、筐体に形成された空気の取込口または排出口の流路抵抗を変えることによって筐体内の気圧を制御すればよく、このような構成を有する様々な変形例が本発明に含まれる。
【０１００】
上記した実施の形態では、吸湿性液体Ｌの温度を制御する構成としてヒートポンプ３０の第１の熱交換器３１、第２の熱交換器３２を例として説明したが、温度を制御する構成はヒートポンプに限らず、独立のヒーターやクーラーを用いることとしてもよい。ヒーターとしては、例えば、他の熱源の排熱を利用する構成を採用してもよい。クーラーは、例えば、冷水を用いた冷却を行ってもよい。
【産業上の利用可能性】
【０１０１】
以上説明したように、本発明は、簡易な構成によって除湿または加湿の効率を向上できるという効果を有し、吸湿性液体を用いて調湿を行う調湿装置として有用である。
【図面の簡単な説明】
【０１０２】
【図１】第１の実施の形態の調湿装置１の構成を示す図である。
【図２】（ａ）除湿処理時のダンパーの制御および筐体内の気圧を示す図である。（ｂ）加湿処理時のダンパーの制御および筐体内の気圧を示す図である。
【図３】第２の実施の形態の調湿装置２の構成を示す図である。
【図４】（ａ）加湿処理時のダンパーの制御および筐体内の気圧を示す図である。（ｂ）除湿処理時のダンパーの制御および筐体内の気圧を示す図である。
【図５】第３の実施の形態の調湿装置３の構成を示す図である。
【図６】（ａ）除湿処理時のファンの制御および筐体内の気圧を示す図である。（ｂ）加湿処理時のファンの制御および筐体内の気圧を示す図である。
【図７】第４の実施の形態の調湿装置４の構成を示す図である。
【図８】（ａ）除湿処理時のファンの制御および筐体内の気圧を示す図である。（ｂ）加湿処理時のファンの制御および筐体内の気圧を示す図である。
【符号の説明】
【０１０３】
１〜４  調湿装置
１０  処理機
１１  筐体
１２  取込口
１３  排出口
１４  充填材
１５  吸湿液供給部
１６  液槽
１７  ファン
１８  ダンパー
１９  管
２０  ポンプ
２１  三方バルブ
２２  ファン
３０  ヒートポンプ
３１  第１の熱交換器
３２  第２の熱交換器
３３  圧縮機
３４  膨張弁
４０  再生機
４１  筐体
４２  取込口
４３  排出口
４４  充填材
４５  吸湿液供給部
４６  液槽
４７  ファン
４８  ダンパー
４９  管
５０  ポンプ
５１  供給管
５２  ポンプ
５３  加熱源
５４  給水管
５５  バルブ
５６  ファン
６１  第１の吸湿液管路
６２  第２の吸湿液管路
６３  バルブ
６４  熱交換器
【図１】
2010194483.tif 000003
【図２】
2010194483.tif 000004
【図３】
2010194483.tif 000005
【図４】
2010194483.tif 000006
【図５】
2010194483.tif 000007
【図６】
2010194483.tif 000008
【図７】
2010194483.tif 000009
【図８】
2010194483.tif 000010